(57)【要約】【課題】内臓脂肪量の測定を簡易的に行うことを可能とする内臓脂肪測定装置を提供する。【解決手段】胴体測定情報と、胴体全体のインピーダンス情報と、胴体表層部のインピーダンス情報と、に基づいて、内臓脂肪量を算出する内臓脂肪測定装置であって、手足の取り付けるクリップ２００は、支軸２３０を中心にして、手又は足を挟み込む方向に付勢された一対の部材から構成された挟持部２１１，２２１を有しており、前記一対の部材のうち一方の部材の内面には電極Ｅが設けられており、前記一対の部材のうち他方の部材は、クリップ２００に対して外力が作用していない状態で、該他方の部材側から前記一方の部材の内面に設けられた電極Ｅを露出させるように構成されていることを特徴とする。【選択図】図５
2010069225.tif 000002
【特許請求の範囲】
【請求項１】
胴体のうち腹部を通り胴体の体軸に垂直な断面の胴体断面積を算出する基礎となる胴体測定情報と、
電極を有するクリップを手足にそれぞれ取り付けることで、手足から胴体を通るように電流を流し、胴体表面の一部の電位差を測定することで得られた胴体全体のインピーダンス情報と、
胴体の表層付近を通るように電流を流し、胴体表面の一部の電位差を測定することで得られた胴体表層部のインピーダンス情報と、
に基づいて、内臓脂肪量を算出する内臓脂肪測定装置であって、
前記クリップは、支軸を中心にして、手又は足を挟み込む方向に付勢された一対の部材から構成された挟持部を有しており、
前記一対の部材のうち一方の部材の内面には電極が設けられており、
前記一対の部材のうち他方の部材は、クリップに対して外力が作用していない状態で、該他方の部材側から前記一方の部材の内面に設けられた電極を露出させるように構成されていることを特徴とする内臓脂肪測定装置。
【請求項２】
前記胴体表面の一部の電位差を測定する場合には、背中側の電位差を測定することを特徴とする請求項１に記載の内臓脂肪測定装置。
【請求項３】
前記胴体表面の一部の電位差を測定する場合には、胴体の体軸方向の電位差を測定することを特徴とする請求項１または２に記載の内臓脂肪測定装置。
【請求項４】
前記一対の部材うち他方の部材の少なくとも一部は、前記電極を露出せしめるべく、一方の部材よりも横幅が狭くなるように構成されていることを特徴とする請求項１，２または３に記載の内臓脂肪測定装置。
【請求項５】
前記一対の部材のうち他方の部材には、前記電極を露出せしめるべく、幅方向中央に開口部が設けられていることを特徴とする請求項１，２または３に記載の内臓脂肪測定装置。
【請求項６】
前記一対の部材のうち他方の部材の少なくとも一部は、前記電極を露出せしめるべく、線状部材から構成されていることを特徴とする請求項１，２または３に記載の内臓脂肪測定装置。
【請求項７】
前記胴体全体のインピーダンス情報から脂肪を除く除脂肪断面積を算出し、前記胴体表層部のインピーダンス情報から皮下脂肪断面積を算出し、前記胴体測定情報から算出された胴体断面積からこれら除脂肪断面積及び皮下脂肪断面積を減ずることで内脂肪断面積を算出することを特徴とする請求項１〜６のいずれか一つに記載の内臓脂肪測定装置。
【発明の詳細な説明】
【技術分野】
【０００１】
本発明は、内臓脂肪測定装置に関するものである。
【背景技術】
【０００２】
従来、Ｘ線ＣＴやＭＲＩを用いて撮影された断層画像から、内臓脂肪量を測定する方法が知られている。かかる測定方法によれば、内臓脂肪量を高精度に測定できるものの、大型の設備が必要であり、Ｘ線ＣＴやＭＲＩが設置された医療施設でしか測定することができない。従って、かかる測定方法によって日常的に内臓脂肪量を測定するのは現実的ではない。なお、Ｘ線ＣＴは、ＭＲＩに比べて繊細な画像を撮影できるが、被曝のリスクを伴う。
【０００３】
そこで、内臓脂肪量を簡易的かつ非侵襲的に測定できる装置の実現が望まれている。
【０００４】
なお、関連する技術としては、特許文献１に開示されたものがある。
【特許文献１】特開２００２−３６９８０６号公報
【発明の開示】
【発明が解決しようとする課題】
【０００５】
本発明の目的は、内臓脂肪量の測定を簡易的かつ非侵襲的に行うことを可能とする内臓脂肪測定装置を提供することにある。
【課題を解決するための手段】
【０００６】
本発明は、上記課題を解決するために以下の手段を採用した。
【０００７】
すなわち、本発明の内臓脂肪測定装置は、
胴体のうち腹部を通り胴体の体軸に垂直な断面の胴体断面積を算出する基礎となる胴体測定情報と、
電極を有するクリップを手足にそれぞれ取り付けることで、手足から胴体を通るように電流を流し、胴体表面の一部の電位差を測定することで得られた胴体全体のインピーダンス情報と、
胴体の表層付近を通るように電流を流し、胴体表面の一部の電位差を測定することで得られた胴体表層部のインピーダンス情報と、
に基づいて、内臓脂肪量を算出する内臓脂肪測定装置であって、
前記クリップは、支軸を中心にして、手又は足を挟み込む方向に付勢された一対の部材から構成された挟持部を有しており、
前記一対の部材のうち一方の部材の内面には電極が設けられており、
前記一対の部材のうち他方の部材は、クリップに対して外力が作用していない状態で、該他方の部材側から前記一方の部材の内面に設けられた電極を露出させるように構成されていることを特徴とする。
【０００８】
なお、本発明における「内臓脂肪量」には、内臓脂肪断面積，内臓脂肪体積及び胴体断面積に対する内臓脂肪断面積の割合など、内臓脂肪量を示す指標となるものが含まれる。
【０００９】
本発明によれば、胴体断面積を算出する基礎となる胴体測定情報と、胴体全体のインピーダンス情報と、胴体表層部のインピーダンス情報から、内臓脂肪量を測定できる。ここで、胴体断面積を算出する基礎となる胴体測定情報としては、腰部の周囲長（ウエスト長）や胴体の縦横幅を挙げることができ、これらは簡単に測定することができる。また、人
体（生体）に電流を流した状態で電位差を測定することでインピーダンス情報が得られるため、インピーダンス情報も簡単に得ることができる。従って、内臓脂肪量の測定を比較的容易に、かつ非侵襲的に行うことができる。
【００１０】
また、本発明によれば、手足から胴体を通るように電流を流すために、電極を有するクリップが用いられる。そして、このクリップは、一対の部材から構成された挟持部を有しており、この一対の部材のうちの一方の部材の内面に電極が設けられている。このように構成されたクリップを手や足に取り付ける場合には、電流を安定的に人体に流すために、導電性に優れたクリームを電極に塗った状態で用いるのが望ましい。本発明においては、一対の部材のうち他方の部材は、クリップに対して外力が作用していない状態で、該他方の部材側から一方の部材の内面に設けられた電極を露出させるように構成されているので、上記のようなクリームを電極に塗る場合でも、簡単に塗ることができる。
【００１１】
ここで、前記胴体表面の一部の電位差を測定する場合には、背中側の電位差を測定するとよい。
【００１２】
また、前記胴体表面の一部の電位差を測定する場合には、胴体の体軸方向の電位差を測定するとよい。
【００１３】
ここで、前記一対の部材うち他方の部材の少なくとも一部は、前記電極を露出せしめるべく、一方の部材よりも横幅が狭くなるように構成されているとよい。
【００１４】
また、前記一対の部材のうち他方の部材には、前記電極を露出せしめるべく、幅方向中央に開口部が設けられていることも好適である。
【００１５】
また、前記一対の部材のうち他方の部材の少なくとも一部は、前記電極を露出せしめるべく、線状部材から構成されていることも好適である。
【００１６】
前記胴体全体のインピーダンス情報から脂肪を除く除脂肪断面積を算出し、前記胴体表層部のインピーダンス情報から皮下脂肪断面積を算出し、前記胴体測定情報から算出された胴体断面積からこれら除脂肪断面積及び皮下脂肪断面積を減ずることで内脂肪断面積を算出するとよい。
【００１７】
すなわち、胴体全体のインピーダンスは、脂肪を除く除脂肪（内臓と筋肉と骨格）の量の影響が大きく、このインピーダンスから除脂肪断面積を算出することができる。そして、胴体表層部のインピーダンスは、皮下脂肪の量の影響が大きく、このインピーダンスから皮下脂肪断面積を算出することができる。なお、皮下脂肪は、一般的に胴体の腹側よりも脇腹から背中側に多く蓄積することから、背中側でインピーダンスを測定したほうが、より正確に皮下脂肪の断面積を測定することができる。このようにして得られた除脂肪断面積と皮下脂肪断面積を用いて、胴体断面積からこれらの面積を減ずることで、内臓脂肪断面積が得られる。
【００１８】
なお、上記各構成は、可能な限り組み合わせて採用し得る。
【発明の効果】
【００１９】
以上説明したように、本発明によれば、内臓脂肪量の測定を簡易的に行うことができる。
【発明を実施するための最良の形態】
【００２０】
以下に図面を参照して、この発明を実施するための最良の形態を、実施例に基づいて例
示的に詳しく説明する。ただし、この実施例に記載されている構成部品の寸法、材質、形状、その相対配置などは、特に特定的な記載がない限りは、この発明の範囲をそれらのみに限定する趣旨のものではない。
【００２１】
（実施例）
図１〜図１１を参照して、本発明の実施例に係る内臓脂肪測定装置について説明する。
【００２２】
＜内臓脂肪測定原理＞
図１及び図２を参照して、本発明の実施例に係る内臓脂肪測定装置における内臓脂肪の測定原理について説明する。図１及び図２はインピーダンスを測定する際の様子を示した模式図である。なお、図１及び図２においては、内臓脂肪を測定するユーザの背中側から見た様子を示している。
【００２３】
図１は胴体全体のインピーダンス情報を得る場合の様子を示している。図示のように、内臓脂肪を測定するユーザの両手にそれぞれ電極ＥＩＬａ１０，ＥＩＲａ１０が取り付けられる。また、ユーザの両足にもそれぞれ電極ＥＩＬｂ１０，ＥＩＲｂ１０が取り付けられる。そして、ユーザの胴体の背中側の位置に、胴体の体軸方向に並ぶように設けられる一対の電極が、胴体の横幅方向に４箇所取り付けられる。つまり、合計８個の電極ＥＶａ１１，ＥＶｂ１１，ＥＶａ１２，ＥＶｂ１２，ＥＶａ１３，ＥＶｂ１３，ＥＶａ１４，ＥＶｂ１４が取り付けられる。
【００２４】
この状態で、両手両足のそれぞれ取り付けられた電極ＥＩＬａ１０，ＥＩＲａ１０，ＥＩＬｂ１０，ＥＩＲｂ１０を用いて胴体を通る電流Ｉ１０を流す。そして、一対の電極ＥＶａ１１，ＥＶｂ１１を用いて電位差Ｖ１１を測定し、一対の電極ＥＶａ１２，ＥＶｂ１２を用いて電位差Ｖ１２を測定し、一対の電極ＥＶａ１３，ＥＶｂ１３を用いて電位差Ｖ１３を測定し、一対の電極ＥＶａ１４，ＥＶｂ１４を用いて電位差Ｖ１４を測定する。つまり、背中側の４箇所にて、胴体表面の一部の電位差を測定する。
【００２５】
このようにして測定された電位差から、胴体全体のインピーダンスＺｔを算出する。なお、４箇所で電位差Ｖ１１，Ｖ１２，Ｖ１３，Ｖ１４を測定し、これらの平均値を用いて胴体全体のインピーダンスを算出することによって、胴体内の脂肪分布のばらつき等の影響を低減させることができる。
【００２６】
ここで、胴体から離れた両手両足から電流Ｉ１０を流した場合には、電流Ｉ１０の殆どは、電気抵抗の低い部分、すなわち脂肪以外の部分を通る。従って、このような電流Ｉ１０を用いて測定された電位差Ｖ１１，Ｖ１２，Ｖ１３，Ｖ１４から算出された胴体全体のインピーダンスＺｔは、脂肪を除く除脂肪（内臓と筋肉と骨格）の量の影響が大きい。従って、このインピーダンスＺｔから除脂肪断面積Ｓａ（推定値）を算出することができる。
【００２７】
図２は胴体のうち背中側の胴体表層部のインピーダンス情報を得る場合の様子を示している。図示のように、ユーザの胴体のうち背中側に、胴体の体軸方向に並ぶように設けられる一対の電極が、胴体の横幅方向に４箇所取り付けられる。つまり、合計８個の電極ＥＩａ２１，ＥＩｂ２１，ＥＶａ２１，ＥＶｂ２１，ＥＩａ２２，ＥＩｂ２２，ＥＶａ２２，ＥＶｂ２２が取り付けられる。
【００２８】
この状態で、一対の電極ＥＩａ２１，ＥＩｂ２１を用いて電流Ｉ２１を流し、一対の電極ＥＩａ２２，ＥＩｂ２２を用いて電流Ｉ２２を流す。なお、電流Ｉ２１の電流値と電流Ｉ２２の電流値は同じである。そして、一対の電極ＥＶａ２１，ＥＶｂ２１を用いて電位差Ｖ２１を測定し、一対の電極ＥＶａ２２，ＥＶｂ２２を用いて電位差Ｖ２２を測定する
。つまり、背中側の２箇所にて、胴体表面の一部の電位差を測定する。
【００２９】
このようにして測定された電位差から、胴体のうち背中側の胴体表層部のインピーダンスＺｓを算出する。なお、２箇所で電位差Ｖ２１，Ｖ２２を測定し、これらの平均値を用いて胴体表層部のインピーダンスＺｓを算出することによって、皮下脂肪のばらつき等の影響を低減させることができる。なお、電流を流していた電極を、電位差を測定する電極とし、かつ電位差を測定していた電極を、電流を流すための電極とするように回路を切り替えることで、４箇所で電位差を測定することも可能である。こうすることで、皮下脂肪のばらつき等の影響をより一層低減させることができる。
【００３０】
ここで、背中のうち腹部の裏側の位置に取り付けられた一対の電極によって電流Ｉ２１，Ｉ２２を流した場合には、電流Ｉ２１，Ｉ２２の殆どは胴体の表層部を通る。従って、このような電流Ｉ２１，Ｉ２２を用いて測定された電位差Ｖ２１，Ｖ２２から算出された胴体表層部のインピーダンスＺｓは、皮下脂肪量の影響が大きい。従って、このインピーダンスＺｓから皮下脂肪断面積Ｓｂ（推定値）を算出することができる。
【００３１】
従って、胴体断面積（胴体のうち腹部を通り胴体の体軸に垂直な断面の面積）をＳｔとすると、内臓脂肪断面積Ｓｘは、
Ｓｘ＝Ｓｔ−Ｓａ−Ｓｂ
となり、内臓脂肪断面積Ｓｘを算出することができる。
【００３２】
ここで、胴体断面積Ｓｔは、腰部の周囲長（ウエスト長）や、胴体（腹部付近）の縦横幅から算出することができる。例えば、胴体の縦横幅から算出する場合、胴体の横幅が２ａ，縦幅が２ｂであれば、胴体の断面はおおよそ楕円形であるので、胴体断面積はおおよそπ×ａ×ｂとなる。ただし、この値は誤差が大きいので、誤差を補正するための係数を乗ずることによって、より正確な胴体断面積Ｓｔを得ることができる。この係数としては、例えば、多数のＸ線ＣＴ画像サンプルに基づいて、Ｘ線ＣＴ画像から得られる胴体断面積Ｓｔ’とａとｂとの関係から、Ｓｔ’＝α×π×ａ×ｂを満足するようなαの最適値を求めることができる。
【００３３】
これにより、胴体の横幅２ａと縦幅２ｂに基づいて、より誤差の少ない胴体断面積Ｓｔ（＝α×π×ａ×ｂ）を算出することができる。なお、上記補正のために乗ずるαに関しては、性別，年齢層，身長，体重等（以下、これらをユーザ情報と称する。）に応じて適宜最適値が異なり得るため、測定するユーザに応じてαの値を変更することで、より一層正確な胴体断面積Ｓｔを算出することが可能となる。
【００３４】
また、上記の通り、除脂肪断面積Ｓａは、胴体全体のインピーダンスＺｔから算出することができる。ただし、この胴体全体のインピーダンスＺｔのみでは、除脂肪断面積Ｓａを算出することはできない。すなわち、この除脂肪断面積Ｓａは胴体の大きさに比例すると共に、インピーダンスＺｔから得られる値を除脂肪断面積Ｓａに換算する必要がある。より具体的には、例えば、この除脂肪断面積Ｓａは、
Ｓａ＝β×ａ×（１／Ｚｔ）
で表すことができる。
【００３５】
ここで、ａは上記の通り胴体の横幅の半分の値であり、胴体の大きさに関係する値である。この値に関しては、これに限らず、例えば、胴体の縦横幅の値が反映されるように（ａ×ｂ）を用いてもよいし、胴体断面積Ｓｔを用いてもよいし、腰部の周囲長（ウエスト長）を用いてもよい。
【００３６】
また、βは、除脂肪断面積Ｓａに換算するための係数であり、上記αを求めた場合と同
様に、多数のＸ線ＣＴ画像サンプルから最適値を求めることができる。すなわち、多数のＸ線ＣＴ画像サンプルに基づいて、Ｘ線ＣＴ画像から得られる除脂肪断面積Ｓａ’と、ａと、当該Ｘ線ＣＴ画像の撮影対象となった人物の胴体全体のインピーダンスＺｔとの関係から、Ｓａ’＝β×ａ×（１／Ｚｔ）を満足するようなβの最適値を求めることができる。
【００３７】
更に、上記の通り、皮下脂肪断面積Ｓｂは、背中のうち腹部の裏側の位置における胴体表層部のインピーダンスＺｓから算出することができる。ただし、この表層部のインピーダンスＺｓのみでは、皮下脂肪断面積Ｓｂを算出することはできない。すなわち、この皮下脂肪断面積Ｓｂは胴体の大きさに比例すると共に、インピーダンスＺｓから得られる値を皮下脂肪断面積Ｓｂに換算する必要がある。より具体的には、例えば、この皮下脂肪断面積Ｓｂは、
Ｓｂ＝γ×ａ×Ｚｓ
で表すことができる。
【００３８】
ここで、ａは上記の通り胴体の横幅の半分の値であり、胴体の大きさに関係する値である。この値に関しては、これに限らず、例えば、胴体の縦横幅の値が反映されるように（ａ×ｂ）を用いてもよいし、胴体断面積Ｓｔを用いてもよいし、腰部の周囲長（ウエスト長）を用いてもよい。
【００３９】
また、γは、皮下脂肪断面積Ｓｂに換算するための係数であり、上記αを求めた場合と同様に、多数のＸ線ＣＴ画像サンプルから最適値を求めることができる。すなわち、多数のＸ線ＣＴ画像サンプルに基づいて、Ｘ線ＣＴ画像から得られる皮下脂肪断面積Ｓｂ’と、ａと、当該Ｘ線ＣＴ画像の撮影対象となった人物の胴体表層部のインピーダンスＺｓとの関係から、Ｓｂ’＝γ×ａ×Ｚｓを満足するようなγの最適値を求めることができる。
【００４０】
なお、上述のβ及びγは、腹部の断面積を求める場合に用いたαの場合と同様に、ユーザ情報に応じて適宜最適値が異なり得る。従って、測定するユーザに応じてβ及びγの値を変更することで、より一層正確な除脂肪断面積Ｓａ及び皮下脂肪断面積Ｓｂを算出することが可能となる。
【００４１】
以上のように、本実施例に係る内臓脂肪測定装置においては、胴体断面積Ｓｔと、胴体全体のインピーダンスＺｔに基づいて算出される除脂肪断面積Ｓａと、胴体表層部のインピーダンスＺｓに基づいて算出される皮下脂肪断面積Ｓｂから内臓脂肪断面積Ｓｘが算出される。
【００４２】
すなわち、
Ｓｘ＝Ｓｔ−Ｓａ−Ｓｂ
で表される。
【００４３】
ここで、Ｓｔ＝α×π×ａ×ｂであり、Ｓａ＝β×ａ×（１／Ｚｔ）であり、Ｓｂ＝γ×ａ×Ｚｓである。そして、ａは胴体の横幅の半分の値であり、ｂは胴体の縦幅の半分の値である。また、α，β，γは、多数のＸ線ＣＴ画像サンプルに基づいて得られた、Ｓｔ，Ｓａ，Ｓｂの最適値を求めるための係数である。なお、これらの係数は、上記の通り、ユーザ情報に応じて変更し得るものである。
【００４４】
上記の式からも分かるように、測定（算出）される内臓脂肪量は、内臓脂肪断面積である。ただし、測定結果としての内臓脂肪量は、内臓脂肪断面積に限らず、胴体断面積に対する内臓脂肪断面積の割合や、内臓脂肪断面積から換算される内臓脂肪体積とすることもできる。
【００４５】
なお、本発明の実施例に係る内臓脂肪測定装置の内臓脂肪測定原理においては、上記の式から分かるように、内臓脂肪断面積Ｓｘが、胴体断面積Ｓｔから除脂肪断面積Ｓａ及び皮下脂肪断面積Ｓｂを減ずることで得られるという考え方に基づいている。
【００４６】
しかしながら、本発明に係る内臓脂肪測定装置は、必ずしも、上記の式Ｓｘ＝Ｓｔ−Ｓａ−Ｓｂをそのまま適用したものに限らず、このような原理を応用したものも含まれる。
【００４７】
例えば、
Ｓｘ＝Ｓｔ−Ｓａ−Ｓｂ＋δ（δは補正量）
から内臓脂肪断面積Ｓｘを求めることもできる。つまり、上記のα，β，γを求めた場合と同様の手法によって、多数のＸ線ＣＴ画像サンプルに基づいて、補正量δを加えるようにすることもできる。
【００４８】
また、
Ｓｘ＝Ｓｔ−Ｆ（Ｚｔ，Ｚｓ，ａ，ｂ）
から内臓脂肪断面積Ｓｘを求めることもできる。なお、Ｆ（Ｚｔ，Ｚｓ，ａ，ｂ）は、Ｚｔ，Ｚｓ，ａ，ｂをパラメータとする関数である。
【００４９】
すなわち、除脂肪断面積Ｓａ及び皮下脂肪断面積Ｓｂの合計値は、胴体全体のインピーダンスＺｔ，胴体表層部のインピーダンスＺｓ及び胴体の大きさ（本実施例では、胴体の縦横幅）と相関関係がある。従って、除脂肪断面積Ｓａ及び皮下脂肪断面積Ｓｂの合計値を、ｔ，Ｚｓ，ａ，ｂをパラメータとする関数Ｆ（Ｚｔ，Ｚｓ，ａ，ｂ）から求めることも可能である。なお、この関数Ｆ（Ｚｔ，Ｚｓ，ａ，ｂ）についても、多数のＸ線ＣＴ画像サンプルから導き出すことができる。
【００５０】
＜内臓脂肪測定装置の全体構成＞
図３を参照して、本実施例に係る内臓脂肪測定装置の全体構成について説明する。図３は本発明の実施例に係る内臓脂肪測定装置の全体構成図である。
【００５１】
本実施例に係る内臓脂肪測定装置は、装置本体１００と、手足に電極を取り付けるための４個のクリップ２０１，２０２，２０３，２０４と、背中に電極を取り付けるためのベルト３００と、胴体の縦横幅を測定するための測定ユニット４００と、装置本体１００に電力を供給するためのコンセント５００とを備えている。
【００５２】
装置本体１００は、各種入力情報や測定結果を表示する表示部１１０と、装置本体１００の電源をオンまたはオフにしたり、各種情報を入力したりするための操作部１２０とを備えている。
【００５３】
クリップ２０１，２０２，２０３，２０４は、それぞれ電極を備えている。そして、これらのクリップ２０１，２０２，２０３，２０４を、手足（好適には手首と足首）に挟み込むように取り付けることによって、手足に電極を密着させることができる。なお、クリップ２０１，２０２，２０３，２０４にそれぞれ備えられた電極は、図１に示した電極ＥＩＬａ１０，ＥＩＲａ１０，ＥＩＬｂ１０，ＥＩＲｂ１０に相当する。
【００５４】
ベルト３００は、測定対象者であるユーザの背中に押し当てる押し当て部材３１０と、押し当て部材３１０の両側にそれぞれ固定されたベルト部３２１と、ベルト部３２１を固定するためのバックル３２２とを備えている。そして、押し当て部材３１０には、合計８個の電極Ｅが設けられている。このように構成されたベルト３００を、押し当て部材３１０が、尾てい骨の少し上の辺りに当るように腰に巻き付けることによって、８個の電極Ｅ
を、ユーザの背中のうち腹部の裏側の位置に密着させることができる。なお、これらの８個の電極Ｅは、図１に示す８個の電極ＥＶａ１１，ＥＶＢ１１，ＥＶａ１２，ＥＶｂ１２，ＥＶａ１３，ＥＶｂ１３，ＥＶａ１４，ＥＶｂ１４、及び図２に示す８個の電極ＥＩａ２１，ＥＩｂ２１，ＥＶａ２１，ＥＶｂ２１，ＥＩａ２２，ＥＩｂ２２，ＥＶａ２２，ＥＶｂ２２に相当する。つまり、胴体全体のインピーダンスＺｔを算出する場合と、胴体表層部のインピーダンスＺｓを算出する場合とで、装置本体１００において、電気回路を切り替えることによって、８個の電極Ｅの役割を変えることができる。
【００５５】
測定ユニット４００は、横幅測定用カーソル部４０１ａ及び縦幅測定用カーソル部４０１ｂを備えたカーソル支持部４０１を備えている。このカーソル支持部４０１は、上下方向及び左右方向に移動可能に構成されている。この測定ユニット４００を用いて、例えば、ユーザがベッドに寝そべった状態で、横幅測定用カーソル部４０１ａと縦幅測定用カーソル部４０１ｂを、それぞれ横腹とへその辺りに接触させる位置にカーソル支持部４０１を移動させることで、胴体の横幅２ａと縦幅２ｂを測定することができる。なお、本実施例においては、カーソル支持部４０１の位置情報に基づいて、装置本体１００において、胴体の横幅２ａと縦幅２ｂが電気的な情報（データ）として得られるように構成されている。このようにして得られた胴体の横幅２ａと縦幅２ｂに関する情報から胴体断面積が算出されることについては、内臓脂肪測定原理の中で説明した通りである。
【００５６】
なお、本実施例では、内臓脂肪測定装置に測定ユニット４００が備えられており、この測定ユニット４００によって、胴体の縦横幅や胴体断面積が自動的に測定されるように構成されている。しかしながら、その他の測定装置、あるいは人の手で測定したり計算したりして得られた値を、装置本体１００に入力する構成を採用することもできる。
【００５７】
＜内臓脂肪測定装置の制御構成＞
図４を参照して、本実施例に係る内臓脂肪測定装置の制御構成について説明する。図４は本発明の実施例に係る内臓脂肪測定装置の制御ブロック図である。
【００５８】
本実施例に係る内臓脂肪測定装置においては、装置本体１００Ｂに、制御部（ＣＰＵ）１３０Ｂと、表示部１１０Ｂと、操作部１２０Ｂと、電源部１４０Ｂと、メモリ部１５０Ｂと、電位差検出部１６０Ｂと、回路切替部１７０Ｂと、定電流生成部１８０Ｂと、ユーザ情報入力部１９０Ｂとが設けられている。
【００５９】
表示部１１０Ｂは、操作部１２０Ｂやユーザ情報入力部１９０Ｂからの入力情報や、測定結果などを表示させる役割を担っており、液晶ディスプレイなどにより構成される。操作部１２０Ｂは、ユーザ等が各種情報を入力可能とするための役割を担っており、各種ボタンやタッチパネルなどにより構成される。なお、本実施例では、操作部１２０Ｂからのユーザ情報の入力以外にも、バーコードリーダ，カードリーダあるいはＵＳＢメモリなどからもユーザ情報入力部１９０Ｂを介して、ユーザ情報が入力されるように構成されている。
【００６０】
電源部１４０Ｂは、制御部１０などに電力を供給する役割を担っており、操作部１２０Ｂによって、電源がオンにされると、各部に電力を供給し、電源がオフにされると、電力供給を停止させる。メモリ部１５０Ｂは、内臓脂肪を測定するための各種データやプログラムなどを記憶している。
【００６１】
そして、クリップ２０１，２０２，２０３，２０４にそれぞれ設けられた電極Ｅ及びベルトに設けられた電極Ｅが、装置本体１００Ｂに設けられている回路切替部１７０Ｂに電気的に接続されている。また、測定ユニット４００に備えられた体格情報計測部４００Ｂが、装置本体１００Ｂに設けられている制御部１３０Ｂに電気的に接続されている。
【００６２】
制御部１３０Ｂは、内臓脂肪測定装置全体の制御を司る役割を担っている。また、制御部１３０Ｂには、演算処理部１３１Ｂが備えられている。そして、この演算処理部１３１Ｂには、制御部１３０Ｂに送られた各種情報に基づいて、インピーダンスを算出するインピーダンス算出部１３１Ｂａと、算出されたインピーダンスに基づいて各種の脂肪量を算出する各種脂肪量算出部１３１Ｂｂとが備えられている。
【００６３】
回路切替部１７０Ｂは、例えば、複数のリレー回路によって構成される。この回路切替部１７０Ｂは制御部１３０Ｂからの指令に基づいて、電気回路を変更する役割を担っている。すなわち、上記の通り、胴体全体のインピーダンス情報を得る場合には、図１に示す回路構成とし、背中側の胴体表層部のインピーダンス情報を得る場合には、図２に示す回路構成とするように電気回路を変更する。
【００６４】
定電流生成部１８０Ｂは、制御部１３０Ｂからの指令に基づいて、高周波電流（例えば、５０ｋＨｚ，５００μＡ）を流す。より具体的には、図１に示す電気回路の場合には、電極ＥＩＬａ１０，ＥＩＲａ１０と電極ＥＩＬｂ１０，ＥＩＲｂ１０間に電流Ｉ１０を流す。また、図２に示す電気回路の場合には、電極ＥＩａ２１と電極ＥＩｂ２１との間、及び電極ＥＩａ２２と電極ＥＩｂ２２との間にそれぞれ電流Ｉ２１，Ｉ２２を流す。
【００６５】
電位差検出部１６０Ｂは、定電流生成部１８０Ｂによって電流が流されている間における所定の電極間の電位差を検出する。より具体的には、図１に示す電気回路の場合には、電極ＥＶａ１１と電極ＥＶｂ１１との間で電位差Ｖ１１を検出し、電極ＥＶａ１２と電極ＥＶｂ１２との間で電位差Ｖ１２を検出し、電極ＥＶａ１３と電極ＥＶｂ１３との間で電位差Ｖ１３を検出し、電極ＥＶａ１４と電極ＥＶｂ１４との間で電位差Ｖ１４を検出する。また、図２に示す電気回路の場合には、電極ＥＶａ２１と電極ＥＶｂ２１との間で電位差Ｖ２１を検出し、電極ＥＶａ２２と電極ＥＶｂ２２との間で電位差Ｖ２２を検出する。
【００６６】
そして、電位差検出部１６０Ｂにて検出された電位差情報は、制御部１３０Ｂに送られる。
【００６７】
また、測定ユニット４００により測定されて得られた体格情報は、体格情報計測部４００Ｂから装置本体１００Ｂの制御部１３０Ｂに送られる。なお、本実施例における体格情報は、上記の通り、胴体の横幅２ａの寸法と、縦幅２ｂの寸法に関する情報である。
【００６８】
制御部１３０Ｂにおける演算処理部１３１Ｂにおいては、電位差検出部１６０Ｂから送られた電位差情報に基づいて、インピーダンス算出部１３１Ｂａにて、胴体全体のインピーダンスＺｔ及び胴体表層部のインピーダンスＺｓを算出する。また、演算処理部１３１Ｂにおいては、算出された胴体全体のインピーダンスＺｔ及び胴体表層部のインピーダンスＺｓと、体格情報計測部４００Ｂから送られる体格情報と、操作部１２０Ｂやユーザ情報入力部１９０Ｂから送られる各種情報に基づいて、各種脂肪量算出部１３１Ｂｂにて各種脂肪量（内臓脂肪断面積を含む）を算出する。
【００６９】
次に、本実施例に係る内臓脂肪測定装置における測定手順について簡単に説明する。
【００７０】
まず、内臓脂肪測定を行うユーザまたは当該ユーザの測定を行う者は、装置本体１００（１００Ｂ）の電源をオンにすると共に、ユーザ情報を入力する。そして、測定ユニット４００によって、ユーザの胴体の縦横幅の測定を行う。これにより、ユーザの胴体の横幅２ａと縦幅２ｂに関する情報が装置本体１００（１００Ｂ）に送られる。なお、装置本体１００（１００Ｂ）においては、これらの情報に基づいて、胴体断面積Ｓｔ（＝α×π×ａ×ｂ）を算出する。なお、αはメモリ部１５０Ｂから読み取られる。
【００７１】
次に、ユーザの手足にクリップ２０１，２０２，２０３，２０４を取り付けると共に、ユーザの腰にベルト３００を巻く。そして、インピーダンスの測定を開始する。
【００７２】
本実施例においては、最初に、回路切替部１７０Ｂによって、図１に示す電気回路となるように制御される。これにより、制御部１３０Ｂのインピーダンス算出部１３１Ｂａによって胴体全体のインピーダンスＺｔが算出される。そして、各種脂肪量算出部１３１Ｂｂによって、この算出されたインピーダンスＺｔ，測定ユニット４００により測定されて得られたａ、及びメモリ部１５０Ｂに記憶されているβから除脂肪断面積Ｓａ（＝β×ａ×（１／Ｚｔ））が算出される。
【００７３】
次に、回路切替部１７０Ｂによって、図２に示す電気回路となるように制御される。これにより、制御部１３０Ｂのインピーダンス算出部１３１Ｂａによって胴体表層部のインピーダンスＺｓが算出される。そして、各種脂肪量算出部１３１Ｂｂによって、この算出されたインピーダンスＺｓ，測定ユニット４００により測定されて得られたａ、及びメモリ部１５０Ｂに記憶されているγから皮下脂肪断面積Ｓｂ（＝γ×ａ×Ｚｓ）が算出される。
【００７４】
そして、制御部１３０Ｂは、演算処理部１３１Ｂによって、上記のようにして得られた胴体断面積Ｓｔ，除脂肪断面積Ｓａ及び皮下脂肪断面積Ｓｂから内臓脂肪断面積Ｓｘ（＝Ｓｔ−Ｓａ−Ｓｂ）を算出し、測定結果として内臓脂肪断面積Ｓｘ等の値を表示部１１０（１１０Ｂ）に表示させる。なお、この測定手順では、各種脂肪量算出部にて、Ｓｘ＝Ｓｔ−Ｓａ−Ｓｂを用いて内臓脂肪断面積Ｓｘを求める場合について説明したが、内臓脂肪測定原理の中で説明したとおり、Ｓｘ＝Ｓｔ−Ｓａ−Ｓｂ＋δやＳｘ＝Ｓｔ−Ｆ（Ｚｔ，Ｚｓ，ａ，ｂ）などを用いて内臓脂肪断面積Ｓｘを求めるようにしてもよい。
【００７５】
＜クリップ＞
図５〜図１１を参照して、クリップについて、さらに詳細に説明する。
【００７６】
まず、図５及び図６を参照して、クリップの具体例１を説明する。図５及び図６は本発明の実施例に係る内臓脂肪測定装置のクリップ（具体例１）の斜視図である。なお、図５と図６とでは見る方向が異なっている。
【００７７】
本実施例に係るクリップ２００は、支軸２３０を中心にして、一定角度内でのみ回転可能に構成された一対の部材（以下、第１部材２１０と第２部材２２０と称する）を備えている。これら第１部材２１０及び第２部材２２０の一端側は、ユーザの手又は足を挟みこむための挟持部２１１，２２１により構成されている。また、これら第１部材２１０及び第２部材２２０の他端側は、クリップ２００を手又は足に挟み込む際に挟持部２１１，２２１を開くために手指等で力を加える部分となる把持部２１２，２２２により構成されている。また、第１部材２１０の内面には、電極Ｅが設けられている。
【００７８】
また、クリップ２００には、支軸２３０が挿入されるように、板ばね２３１が設けられている。この板ばね２３１によって、挟持部２１１，２２１は、手又は足を挟みこむ方向に付勢されている。従って、クリップ２００を手又は足に取り付ける場合には、この板ばね２３１の付勢力に抗するように、把持部２１２，２２２に力を加えて、挟持部２１１，２２１を開いた状態にする動作が必要となる。
【００７９】
ここで、クリップ２００を手や足に取り付けた状態において、クリップ２００に設けられた電極Ｅが人体に対して確実に電気的に接続されるようにしなければならない。そのため、電極Ｅが設けられている第１部材２１０は、手や足に安定的に密着するように、ある
程度横幅の広い部材により構成されている。また、電極Ｅが人体により確実に密着するように、板ばね２３１の付勢力はある程度大きくなるように設定されている。
【００８０】
更に、電極Ｅによって、電流を安定的に人体に流すために、導電性に優れたクリームを電極Ｅに塗った状態で用いるのが望ましい。この場合、例えば、図５に示すチューブ２５０によって、電極Ｅの表面にクリームを塗布する。
【００８１】
ここで、一般的な生体電極用のクリップの場合のように、第２部材２２０も第１部材２１０と同一の形状を採用し、横幅を第１部材２１０と同一寸法にした場合には、電極Ｅの表面にクリームを塗る際に、第２部材２２０が邪魔になってしまう。そのため、把持部２１２，２２２に力を加えて挟持部２１１，２２１を開いた状態で、クリームを塗る作業を行わなければならない。従って、上記の通り板ばね２３１の付勢力はある程度高いため、このクリームを塗る作業が大変な作業となってしまう。
【００８２】
そこで、本実施例においては、第２部材２２０における挟持部２２１の横幅は、第１部材２１０における挟持部２１１に比べて狭くなるように構成されている。これにより、クリップ２００に対して外力が作用していない状態（把持部２１２，２２２に力が加えられていない状態）で、第２部材２２０側から第１部材２１０の内面に設けられた電極Ｅが露出するようになっている。従って、把持部２１２，２２２に力を加えて、挟持部２１１，２２１を開いた状態にすることなく、簡単に電極Ｅの表面にクリームを塗ることができる。
【００８３】
なお、この図５及び図６に示す具体例１の場合、第２部材２２０の挟持部２２１は、幅方向において均等に、横幅が第１部材２１０の挟持部２１１に比べて狭くなるように構成されている。
【００８４】
次に、図７及び図８を参照して、クリップの具体例２を説明する。図７は本発明の実施例に係る内臓脂肪測定装置のクリップ（具体例２）の斜視図である。図８は本発明の実施例に係る内臓脂肪測定装置のクリップと一般的なクリップの機能の違いを説明する説明図である。
【００８５】
この具体例２に係るクリップ２００ａについても、上記の具体例１に係るクリップ２００と同様に、支軸２３０ａを中心にして、一定角度内でのみ回転可能に構成された一対の部材（以下、第１部材２１０ａと第２部材２２０ａと称する）を備えている。そして、これら第１部材２１０ａ及び第２部材２２０ａの一端側は、ユーザの手又は足を挟みこむための挟持部２１１ａ，２２１ａにより構成されている。また、これら第１部材２１０ａ及び第２部材２２０ａの他端側は、クリップ２００ａを手又は足に挟み込む際に挟持部２１１ａ，２２１ａを開くために手指等で力を加える部分となる把持部２１２ａ，２２２ａにより構成されている。また、第１部材２１０ａの内面には、電極Ｅが設けられている。また、クリップ２００ａには、支軸２３０ａが挿入されるように、板ばね２３１ａが設けられている。
【００８６】
この具体例２に係るクリップ２００ａが上記具体例１に係るクリップ２００と異なる点は、第２部材２２０ａにおける挟持部２２１ａの細くした部分の形状である。すなわち、この具体例２に係るクリップ２００ａにおいては、第２部材２２０ａの挟持部２２１ａは、幅方向において一方のみが開放されるように、横幅が第１部材２１０ａの挟持部２１１ａに比べて狭くなるように構成されている。
【００８７】
この具体例２に係るクリップ２００ａの場合にも、クリップ２００ａに対して外力が作用していない状態で、第２部材２２０ａ側から第１部材２１０ａの内面に設けられた電極
Ｅが露出するようになっている。従って、把持部２１２ａ，２２２ａに力を加えて、挟持部２１１ａ，２２１ａを開いた状態にすることなく、簡単に電極Ｅの表面にクリームを塗ることができる。
【００８８】
また、この具体例２に係るクリップ２００ａの場合には、第２部材２２０ａの挟持部２２１ａが第１部材２１０ａに対して幅方向の片側に偏った構成であることから、クリップ２２０ａを取り付ける手首や足首の部分の太さの変化が大きな場合でも、第１部材２１０ａに設けられた電極Ｅをより適切に人体に密着させることができるという利点がある。この点について、図８を参照して説明する。
【００８９】
図８において、図中Ｍは、クリップを取り付ける手首や足首などを模式的に示したものである。人によっては、手首や足首の太さの変化が大きな場合がある。この場合、一般的な生体電極用のクリップＸの場合、図８（ｂ）に示すように、手首（又は足首）Ｍのうち太い付近側にクリップＸが接触し、細い側にはクリップＸが接触せずに、隙間ができてしまい易い。これに対して、具体例２に係るクリップ２００ａの場合には、図８（ａ）に示すように、第１部材２１０ａ側を手首（又は足首）Ｍに密着させるようにクリップ２００ａを傾けた状態で手首（又は足首）Ｍに取り付けることができる。
【００９０】
このように、具体例２に係るクリップ２００ａの場合には、クリップ２２０ａを取り付ける手首や足首の部分の太さの変化が大きな場合でも、第１部材２１０ａに設けられた電極Ｅをより適切に人体に密着させることができるという利点がある。
【００９１】
次に、図９を参照して、クリップの具体例３を説明する。図９は本発明の実施例に係る内臓脂肪測定装置のクリップ（具体例３）の斜視図である。
【００９２】
この具体例３に係るクリップ２００ｂについても、上記の具体例１に係るクリップ２００と同様に、支軸２３０ｂを中心にして、一定角度内でのみ回転可能に構成された一対の部材（以下、第１部材２１０ｂと第２部材２２０ｂと称する）を備えている。そして、これら第１部材２１０ｂ及び第２部材２２０ｂの一端側は、ユーザの手又は足を挟みこむための挟持部２１１ｂ，２２１ｂにより構成されている。また、これら第１部材２１０ｂ及び第２部材２２０ｂの他端側は、クリップ２００ｂを手又は足に挟み込む際に挟持部２１１ｂ，２２１ｂを開くために手指等で力を加える部分となる把持部２１２ｂ，２２２ｂにより構成されている。また、第１部材２１０ｂの内面には、電極Ｅが設けられている。また、クリップ２００ｂには、支軸２３１０が挿入されるように、板ばね２３１ｂが設けられている。
【００９３】
この具体例３に係るクリップ２００ｂが上記具体例１に係るクリップ２００と異なる点は、第２部材２２０ｂにおける挟持部２２１ｂの細くした部分の形状である。すなわち、この具体例３に係るクリップ２００ｂにおいては、第２部材２２０ｂの挟持部２２１ｂは、第１部材２１０ａの内面に設けられた電極Ｅの辺りのみを開放するように、長手方向の一部のみを、横幅が部分的に第１部材２１０ｂの挟持部２１１ｂに比べて狭くなるように構成されている。
【００９４】
この具体例３に係るクリップ２００ｂの場合にも、クリップ２００ｂに対して外力が作用していない状態で、第２部材２２０ｂ側から第１部材２１０ｂの内面に設けられた電極Ｅが露出するようになっている。従って、把持部２１２ｂ，２２２ｂに力を加えて、挟持部２１１ｂ，２２１ｂを開いた状態にすることなく、簡単に電極Ｅの表面にクリームを塗ることができる。
【００９５】
次に、図１０を参照して、クリップの具体例４を説明する。図１０は本発明の実施例に
係る内臓脂肪測定装置のクリップ（具体例４）の斜視図である。
【００９６】
この具体例４に係るクリップ２００ｃについても、上記の具体例１に係るクリップ２００と同様に、支軸２３０ｃを中心にして、一定角度内でのみ回転可能に構成された一対の部材（以下、第１部材２１０ｃと第２部材２２０ｃと称する）を備えている。そして、これら第１部材２１０ｃ及び第２部材２２０ｃの一端側は、ユーザの手又は足を挟みこむための挟持部２１１ｃ，２２１ｃにより構成されている。また、これら第１部材２１０ｃ及び第２部材２２０ｃの他端側は、クリップ２００ｃを手又は足に挟み込む際に挟持部２１１ｃ，２２１ｃを開くために手指等で力を加える部分となる把持部２１２ｃ，２２２ｃにより構成されている。また、第１部材２１０ｃの内面には、電極Ｅが設けられている。また、クリップ２００ｃには、支軸２３０ｃが挿入されるように、板ばね２３１ｃが設けられている。
【００９７】
この具体例４に係るクリップ２００ｃが上記具体例１に係るクリップ２００と異なる点は、第２部材２２０ｃにおける挟持部２２１ｃの構成である。すなわち、上記具体例１では、挟持部２２１を細くする構成を採用していたが、この具体例４に係るクリップ２００ｃにおいては、挟持部２２１ｃの中央付近に開口部２２１ｃ’を設ける構成を採用している。
【００９８】
この具体例４に係るクリップ２００ｃの場合にも、開口部２２１ｃ’を設けたことで、クリップ２００ｃに対して外力が作用していない状態で、第２部材２２０ｃ側から第１部材２１０ｃの内面に設けられた電極Ｅが露出するようになっている。従って、把持部２１２ｃ，２２２ｃに力を加えて、挟持部２１１ｃ，２２１ｃを開いた状態にすることなく、簡単に電極Ｅの表面にクリームを塗ることができる。
【００９９】
次に、図１１を参照して、クリップの具体例５を説明する。図１１は本発明の実施例に係る内臓脂肪測定装置のクリップ（具体例５）の斜視図である。
【０１００】
この具体例５に係るクリップ２００ｄについても、上記の具体例１に係るクリップ２００と同様に、支軸２３０ｄを中心にして、一定角度内でのみ回転可能に構成された一対の部材（以下、第１部材２１０ｄと第２部材２２０ｄと称する）を備えている。そして、これら第１部材２１０ｄ及び第２部材２２０ｄの一端側は、ユーザの手又は足を挟みこむための挟持部２１１ｄ，２２１ｄにより構成されている。また、これら第１部材２１０ｄ及び第２部材２２０ｄの他端側は、クリップ２００ｄを手又は足に挟み込む際に挟持部２１１ｄ，２２１ｄを開くために手指等で力を加える部分となる把持部２１２ｄ，２２２ｄにより構成されている。また、第１部材２１０ｄの内面には、電極Ｅが設けられている。また、クリップ２００ｄには、支軸２３０ｄが挿入されるように、板ばね２３１ｄが設けられている。
【０１０１】
この具体例５に係るクリップ２００ｄが上記具体例１に係るクリップ２００と異なる点は、第２部材２２０ｄにおける挟持部２２１ｄの構成である。すなわち、上記具体例１では、挟持部２２１を細くする構成を採用していたが、この具体例５に係るクリップ２００ｄにおいては、挟持部２２１ｄが線状部材によって構成されている。なお、この線状部材からなる挟持部２２１ｄは、第１部材２１０ｄにおける挟持部２１１ｄの外縁に相当する部分とほぼ同一形状となるように構成されている。
【０１０２】
この具体例５に係るクリップ２００ｄの場合にも、クリップ２００ｄに対して外力が作用していない状態で、第２部材２２０ｄ側から第１部材２１０ｄの内面に設けられた電極Ｅが露出するようになっている。従って、把持部２１２ｄ，２２２ｄに力を加えて、挟持部２１１ｄ，２２１ｄを開いた状態にすることなく、簡単に電極Ｅの表面にクリームを塗
ることができる。
【０１０３】
＜その他＞
上記の通り本実施例に係る内臓脂肪測定装置においては、両手両足の電極を取り付ける必要があるため、４つのクリップ２０１，２０２，２０３，２０４が設けられている。これらは、それぞれ右手用，左手用，右足用，左足用であり、適正に測定を行うために、これらを正しく取り付ける必要がある。そこで、各クリップ２０１，２０２，２０３，２０４の取り付け箇所を間違うことのないように、それぞれに、例えば、右手，左手，右足，左足というように刻印をしたりシールを貼るのが望ましい。これにより、取り付け箇所の間違いを抑制することができる。なお、本実施例では、右手と左手の区別は必要なく、また右足と左足の区別も必要ない。したがって、手足の区別をするだけでいいため、クリップに手のマークと足のマークをつけて、取り付け箇所の間違いを抑制することができる。
【図面の簡単な説明】
【０１０４】
【図１】図１はインピーダンスを測定する際の様子を示した模式図である。
【図２】図２はインピーダンスを測定する際の様子を示した模式図である。
【図３】図３は本発明の実施例に係る内臓脂肪測定装置の全体構成図である。
【図４】図４は本発明の実施例に係る内臓脂肪測定装置の制御ブロック図である。
【図５】図５は本発明の実施例に係る内臓脂肪測定装置のクリップ（具体例１）の斜視図である。
【図６】図６は本発明の実施例に係る内臓脂肪測定装置のクリップ（具体例１）の斜視図である。
【図７】図７は本発明の実施例に係る内臓脂肪測定装置のクリップ（具体例２）の斜視図である。
【図８】図８は本発明の実施例に係る内臓脂肪測定装置のクリップと一般的なクリップの機能の違いを説明する説明図である。
【図９】図９は本発明の実施例に係る内臓脂肪測定装置のクリップ（具体例３）の斜視図である。
【図１０】図１０は本発明の実施例に係る内臓脂肪測定装置のクリップ（具体例４）の斜視図である。
【図１１】図１１は本発明の実施例に係る内臓脂肪測定装置のクリップ（具体例５）の斜視図である。
【符号の説明】
【０１０５】
１００，１００Ｂ  装置本体
１１０，１１０Ｂ  表示部
１２０，１２０Ｂ  操作部
１３０Ｂ  制御部
１３１Ｂ  演算処理部
１３１Ｂａ  インピーダンス算出部
１３１Ｂｂ  各種脂肪量算出部
１４０Ｂ  電源部
１５０Ｂ  メモリ部
１６０Ｂ  電位差検出部
１７０Ｂ  回路切替部
１８０Ｂ  定電流生成部
１９０Ｂ  ユーザ情報入力部
２０１，２０２，２０３，２０４  クリップ
２００，２００ａ，２００ｂ，２００ｃ，２００ｄ  クリップ
２１０，２１０ａ，２１０ｂ，２１０ｃ，２１０ｄ  第１部材
２１１，２１１ａ，２１１ｂ，２１１ｃ，２１１ｄ  挟持部
２１２，２１２ａ，２１２ｂ，２１２ｃ，２１２ｄ  把持部
２２０，２２０ａ，２２０ｂ，２２０ｃ，２２０ｄ  第２部材
２２１，２２１ａ，２２１ｂ，２２１ｃ，２２１ｄ  挟持部
２２１ｃ’  開口部
２２２，２２２ａ，２２２ｂ，２２２ｃ，２２２ｄ  把持部
２３０，２３０ａ，２３０ｂ，２３０ｃ，２３０ｄ  支軸
２３１，２３１ａ，２３１ｂ，２３１ｃ，２３１ｄ  板ばね
２５０  チューブ
３００  ベルト
３１０  押し当て部材
３２１  ベルト部
３２２  バックル
４００  測定ユニット
４００Ｂ  体格情報計測部
４０１  カーソル支持部
４０１ａ  横幅測定用カーソル部
４０１ｂ  縦幅測定用カーソル部
５００  コンセント
Ｅ  電極
【図１】
2010069225.tif 000003
【図２】
2010069225.tif 000004
【図３】
2010069225.tif 000005
【図４】
2010069225.tif 000006
【図５】
2010069225.tif 000007
【図６】
2010069225.tif 000008
【図７】
2010069225.tif 000009
【図８】
2010069225.tif 000010
【図９】
2010069225.tif 000011
【図１０】
2010069225.tif 000012
【図１１】
2010069225.tif 000013